(57)【特許請求の範囲】
【請求項１】
先端工具を駆動する駆動機構と、
前記駆動機構を収容するとともに、前記駆動機構を潤滑する潤滑剤が封入された密閉状の駆動機構の収容空間と、
前記収容空間の内部を外部に連通して当該収容空間の圧力を調整する経路と、を有する作業工具であって、
前記経路途上には、所定の容積を有するフィルター室と、前記フィルター室を前記収容空間の内部に連通する内部通路と、前記フィルター室を前記外部に連通する外部通路が設けられ、
前記フィルター室には、潤滑剤を吸着するためのフィルターが、当該フィルター室に開口される前記外部通路の開口周縁部から離間した状態で配置され、これにより前記フィルター室の前記開口周縁部側に空間が形成され、
前記空間には、前記フィルターを通って前記外部通路へと流出する空気の流れを絞る絞り部材が設けられており、
前記絞り部材は、前記外部通路の開口周縁部に対して離間して配置され、これにより前記空間には、前記フィルターを通って当該空間に流出する空気の流れを絞る絞り流路と前記開口周縁部を連通するとともに前記経路の一部を構成する空き空間が形成されていることを特徴とする作業工具。
【請求項２】
請求項１に記載の作業工具であって、
前記絞り部材は、前記フィルターに重なるように配置されて当該フィルターと前記空間との間の流路を絞るシート状部材であることを特徴とする作業工具。
【請求項３】
請求項２に記載の作業工具であって、
前記シート状部材は、円形の弾性材によって構成されており、当該弾性材の外周と当該外周を囲む周壁とによって前記フィルターと前記空間とを連通する絞り流路が形成されていることを特徴とする作業工具。
【発明の詳細な説明】
【技術分野】
【０００１】
本発明は、駆動機構を収容する収容空間の内部圧力を調整することが可能とされたハンマ、ハンマ等の作業工具に関する。
【背景技術】
【０００２】
例えば、電動ハンマのハウジング内には、工具ビットに長軸方向の打撃動作及び周方向の回転動作を行わせるべく、モータによって駆動される駆動機構が収容されている。駆動機構を収容する収容空間内には駆動機構を潤滑するための潤滑剤（グリース）が充填され、そして収容空間は充填された潤滑剤が外側に漏出しないように密閉構造とされている。電動ハンマの場合、その駆動時において、駆動機構の動作に伴う発熱によってハウジング内の空気が膨張して圧力が高くなると、駆動機構による打撃不良が発生し、あるいは潤滑剤がハウジングから外へ漏出する可能性がある。
このような不具合を解消するべく、収容空間の圧力を調整できるようにした電動ハンマが特開２００８−３６７５４号公報（特許文献１）に開示されている。特許文献１に記載の電動ハンマでは、フィルター室、フィルター室をハウジングの収容空間に連通する内部通路、及びフィルター室を外部に連通する外部通路によって圧力調整用経路を構成するとともに、フィルター室には、当該フィルター室に開口される外部通路の開口周縁部から離間した状態でフィルターを配置し、これにより収容空間内の潤滑剤が外部に流出するのを抑えている。
【０００３】
特許文献１に開示された発明によれば、収容空間の内部圧力を調整しつつ当該収容空間内の潤滑剤の漏出を防止する技術が構成されるが、潤滑剤の漏出防止技術につき、更なる改良の余地がある。
【先行技術文献】
【特許文献】
【０００４】
特開２００８−３６７５４号公報
【発明の概要】
【発明が解決しようとする課題】
【０００５】
本発明は、作業工具において、駆動機構を収容する収容空間の内部圧力を調整しつつ潤滑剤漏出防止効果のより一層の向上を図る技術を提供することをその目的とする。
【課題を解決するための手段】
【０００６】
上記課題を達成するため、本発明に係る作業工具の好ましい形態は、先端工具を駆動する駆動機構と、駆動機構を収容するとともに、駆動機構を潤滑する潤滑剤が封入された密閉状の駆動機構の収容空間と、収容空間の内部を外部に連通して当該収容空間の圧力を調整する経路とを有する。なお、本発明における「作業工具」としては、典型的には、工具ビットに長軸方向の打撃動作、周方向の回転動作あるいは打撃動作と回転動作とを行わせることで、加工材（例えば、コンクリート）にハンマ作業あるいはドリル作業を行う電動ハンマ、ハンマドリル等の衝撃式作業工具がこれに該当するが、このほか、被加工材の切断作業に用いられる切断作業工具、研削や研磨作業に用いられる研削・研磨作業工具、あるいはねじ締め作業に用いられる締付作業工具等、各種作業工具を広く包含する。また「潤滑剤」としては、典型的には、グリースが用いられる。また本発明における「外部」とは、作業工具における収容空間以外の内部空間あるいは作業工具の外部空間（大気）のいずれも包含する。
【０００７】
本発明によれば、経路途上には、所定の容積を有するフィルター室と、フィルター室を収容空間の内部に連通する内部通路と、フィルター室を外部に連通する外部通路が設けられる。そしてフィルター室には、当該フィルター室に流入した潤滑剤を吸着するフィルターが配置されている。なお、本発明における「フィルター」としては、典型的には、フェルト、スポンジ、あるいは布等を好適に用いることができるが、これらに限らず潤滑剤を吸着して捕捉することが可能なものであれば材質を問わない。
【０００８】
特に本発明では、フィルターは、フィルター室に開口される外部通路の開口周縁部から離間した状態で配置され、これによりフィルター室の開口周縁部側には空間が形成されており、そして当該空間にはフィルターを通って外部通路へと流出する空気の流れを絞る絞り部材が設けられた構成としている。
【０００９】
本発明によれば、作業工具による加工作業時において、収容空間の内部圧力が異常に上昇したとき、当該収容空間内の空気が経路を経て収容空間の外部へと流れ、これによって収容空間の内部圧力が調整される。すなわち、収容空間内の圧力逃がしが行われる。このため、作業工具が、例えば電動ハンマあるいはハンマドリルのような衝撃式作業工具の場合であれば、収容空間内の圧力が上昇することに起因する駆動機構による打撃不良を未然に防止できる。
【００１０】
本発明によれば、収容空間内の潤滑剤が空気と共に経路を経て外部へと流出しようとする際、フィルターによる吸着作用によって潤滑剤を捕捉し、外部への流出を防止することができる。しかしながら、フィルターを通過する空気の流速によっては潤滑剤がフィルターに吸着されずに通過する可能性がある。そこで、本発明では、フィルター室の外部通路側に空間を形成するとともに、当該空間にフィルター内部を通って外部通路へと流出する空気の流れを絞る絞り部材を設けている。絞り部材は、外部通路の開口周縁部に対して離間して配置され、これにより空間には、フィルターを通って当該空間に流出する空気の流れを絞る絞り流路と前記開口周縁部を連通するとともに経路の一部を構成する空き空間が形成されている。これによりフィルターの内部を通る空気の流速を低下させる構成としている。すなわち、本発明は収容空間の内部の空気が外部へと流出する際のフィルターの下流側に空気の流出絞りを設定したものであり、これにより、フィルターによる潤滑剤の吸着作用を高めることが可能となり、潤滑剤の外部通路への流出が抑えられる。すなわち、本発明によれば、収容空間の内部圧力を調整しつつ収容空間の内部から外部への潤滑剤の漏出防止を効果的に行うことができる。
【００１１】
本発明に係る作業工具の更なる形態によれば、絞り部材は、フィルターに重なるように配置されてフィルターと空間との間の流路を絞るシート状部材によって構成されている。シート状部材としては、通気性を有しない部材であれば、材質の如何を問わず用いることが可能であり、流路を絞る形態としては、例えばシート状部材に複数の孔あるいはスリット等の開口を用いることが可能であり、開口の大きさや数を増減する等によって空気流れの絞り量を適宜調整できる。
【００１２】
本発明に係る作業工具の更なる形態によれば、絞り部材としてシート状部材を用いる場合において、シート状部材は、円形の弾性材によって構成されている。そして、弾性材の外周と当該外周を囲む周壁とによってフィルターと空間とを連通する絞り通路が形成された構成とされる。通常であれば、フィルター内部を流れる空気は、外部通路に向って直進する。しかるに本発明によれば、弾性材の外径側に絞り通路を設けたことにより、弾性材はフィルター内部を外部通路に向って直進しようとする空気の流れを堰き止める妨害部材として機能する。このため、弾性材によって直進を妨げられた空気は、フィルターの中央部から絞り通路のある外径側へと流れることとなり、これによりフィルター内を流れる空気の流通距離を長くできる。このため、フィルターによる潤滑剤の捕捉領域（接触領域）が拡がることになり、フィルター全体を潤滑剤の吸着領域として有効に活用することができる。
【発明の効果】
【００１３】
本発明によれば、作業工具において、駆動機構を収容する収容空間の内部圧力を調整しつつ潤滑剤漏出防止効果のより一層の向上を図る技術が提供されることとなった。
【図面の簡単な説明】
【００１４】
【図１】本発明の実施形態に係る電動ハンマの全体構成を示す部分断面図である。
【図２】図１の一部を拡大して示す断面図である。
【図３】本発明の主要部を更に拡大して示す断面図である。
【図４】キャップ部材を分解して示す断面図である。
【図５】本発明の他の実施形態を示す断面図である。
【発明を実施するための最良の形態】
【００１５】
以下、本発明の実施の形態につき、図１〜図４を参照しつつ詳細に説明する。本実施の形態は、作業工具の一例として電動式ハンマを用いて説明する。図１に示すように、本実施の形態に係るハンマ１０１は、概括的に見て、ハンマ１０１の外郭を形成する本体部１０３、当該本体部１０３の先端領域（図示左側）にツールホルダ（便宜上図示を省略する）を介して着脱自在に取付けられたハンマビット１１９、本体部１０３の後端側（ハンマビット１１９の反対側）に連接された作業者が握るハンドグリップ１０９を主体として構成されている。ハンマビット１１９は、ツールホルダに対し軸方向に相対移動可能に装着される。ハンマビット１１９は、本発明における「先端工具」に対応する。なお説明の便宜上、ハンマビット１１９側を前、ハンドグリップ１０９側を後という。
【００１６】
本体部１０３は、駆動モータ１１１を収容したモータハウジング１０５と、運動変換機構１１３及び打撃要素１１５を収容したギアハウジング１０７とを主体として構成されている。駆動モータ１１１は、回転軸線が本体部１０３の長軸方向（ハンマビット１１９の長軸方向）と概ね直交する縦方向（図１において上下方向）となるように配置される。
【００１７】
図２に示すように、駆動モータ１１１の回転出力は、運動変換機構１１３によって直線運動に適宜変換された上で打撃要素１１５に伝達され、当該打撃要素１１５を介してハンマビット１１９の長軸方向（図１における左右方向）への衝撃力を発生する。運動変換機構１１３及び打撃要素１１５は、本発明における「駆動機構」に対応する。なお、ギアハウジング１０７の内部空間１０７ａは、接合面がシールされた隙間のない密閉空間として形成されており、当該内部空間１０７ａには運動変換機構１１３の摺動部位を潤滑するための潤滑剤（グリース）が封入されている。ギアハウジング１０７の内部空間１０７ａは、本発明における「収容空間」に対応する。
【００１８】
運動変換機構１１３は、駆動モータ１１１により複数のギアを介して減速して回転駆動されるクランク軸１２１、当該クランク軸１２１の回転中心からシフトした位置で偏心ピン１２３を介して連接されるクランクアーム１２５、及びクランクアーム１２５によって直線往復動される駆動子としてのピストン１２７等からなるクランク機構によって構成される。ピストン１２７は、シリンダ１４１内に摺動自在に配置されており、駆動モータ１１１が通電駆動されることに伴い当該シリンダ１４１に沿って直線動作を行う。
【００１９】
打撃要素１１５は、シリンダ１４１のボア内壁に摺動自在に配置された打撃子としてのストライカ１４３と、ツールホルダに摺動自在に配置されるとともに、ストライカ１４３の運動エネルギをハンマビット１１９に伝達する中間子としてのインパクトボルト（便宜上図示を省略する）とを主体として構成される。ストライカ１４３は、ピストン１２７の摺動動作に伴うシリンダ１４１の空気室１４１ａの空気バネを介して駆動され、ツールホルダに摺動自在に配置されたインパクトボルトに衝突（打撃）し、当該インパクトボルトを介してハンマビット１１９に打撃力を伝達する。
【００２０】
図１に示すように、ハンドグリップ１０９はハンマビット１１９の長軸方向と交差する上下方向に延在されるとともに、延在方向の上下端部には前方に向って突出する連接部が形成されており、当該上下の連接部が本体部１０３の後部に連接されている。これにより、ハンドグリップ１０９は、本体部１０３に対し上下２箇所で連接された側面視で略Ｄ形に形成されている。ハンドグリップ１０９の上部領域には、作業者によってスライド操作される操作部材１３３が配置されており、当該操作部材１３３がスライド操作されることによって駆動モータ１１１を通電駆動する電源スイッチ（便宜上図示を省略する）がオン位置とオフ位置間で動作されるように構成されている。
【００２１】
上記のように構成されるハンマ１０１は、作業者が本体部１０３に前方への押圧力を加えてハンマビット１１９を被加工材に押し付けた状態で駆動モータ１１１を通電駆動すると、クランク機構を主体として構成される運動変換機構１１３を介してピストン１２７がシリンダ１４１に沿って直線状に摺動動作する。ピストン１２７が摺動動作すると、シリンダ１４１の空気室１４１ａの空気バネの作用により、ストライカ１４３がシリンダ１４１内を前方へと移動し、インパクトボルトに衝突することで、その運動エネルギをハンマビット１１９に伝達する。かくして、ハンマビット１１９が被加工材（コンクリート）にハンマ作業を遂行する。
【００２２】
ところで、ハンマ１０１によるハンマ作業時において、運動変換機構１１３及び打撃要素１１５の駆動によりギアハウジング１０７の内部空間１０７ａが発熱し、それに伴い密閉構造の内部空間１０７ａの空気が膨張して圧力が高くなると、内部空間１０７ａと連通するストライカ１４３とインパクトボルト間の空間も同様に高くなる。その結果、ピストン１２７の摺動動作によりシリンダ１４１の空気室１４１ａ内の空気バネの作用を介してストライカ１４３が直線動作される際、ストライカ１４３とインパクトボルト間の空間と、空気室１４１ａとの圧力バランスが崩れて当該ストライカ１４３が正常に直線動作しない状態、すなわち打撃不良を起こす可能性がある。また、ギアハウジング１０７の内部空間１０７ａの圧力が高くなると、当該内部空間１０７ａ内の潤滑剤がシール面からギアハウジング１０７の外部へ漏出する可能性がある。そこで、かかる不具合を解消するべく、ギアハウジング１０７には、内部空間１０７ａの内部圧力が上昇したとき、当該内部空間１０７ａの空気を内部空間１０７ａの外部へ流出させることによって内部圧力を調整（下げる）する圧力調整通路１５１が設けられている。圧力調整通路１５１は、本発明における「経路」に対応する。
【００２３】
図３及び図４にはギアハウジング１０７の内部圧力を調整する圧力調整通路１５１の構成が拡大図として示される。圧力調整通路１５１は、ギアハウジング１０７の内部空間１０７ａの内部を外部に連通するように設けられる。ギアハウジング１０７の上面側、すなわち、使用者がハンマビット１１９の長軸線が概ね水平となるようにハンマ１０１のハンドグリップ１０９を手で把持した状態で上面側となる位置には、ギアハウジング１０７の内部空間１０７ａに潤滑剤を充填する開口部としての充填口が設けられており、本実施の形態では、この充填口に装着されるキャップ部材１５３を利用して圧力調整通路１５１を設けている。
【００２４】
キャップ部材１５３は、充填口を塞ぐためのクランクキャップ１５５、フィルター収容空間１５４内に収容される潤滑剤吸着用のフィルター１５７、及びクランクキャップ１５５に被せるフィルターキャップ１５９を主体として構成されている。フィルター収容空間１５４は、上方が開口された断面円形の略鉢形状のクランクキャップ１５５と、このクランクキャップ１５５の開口部に上方から嵌め込むように取付けられる下方が開口された略円形筒状のフィルターキャップ１５９とによって形成されている。すなわち、フィルター収容空間１５４は、クランクキャップ１５５の底壁１５５ａ、周壁１５５ｂ、及びフィルターキャップ１５９の周壁１５９ａ、上壁１５９ｂによって囲まれた断面円形の空間であり、本発明における「フィルター室」に対応する。
【００２５】
クランクキャップ１５５は、周壁１５５ｂの外側に更に外筒部１５５ｄを有するとともに、当該外筒部１５５ｄが充填口の内周面に上方から着脱自在に嵌入固定され、当該嵌入状態では、Ｏリング１５６によって充填口とクランクキャップ１５５との嵌合面に関する隙間がシールされている。またクランクキャップ１５５の嵌入方向の先端側壁面である底壁１５５ａの略中央部には、フィルター収容空間１５４をギアハウジング１０７の内部空間１０７ａに連通する呼吸孔１５５ｃが貫通状に設けられている。クランクキャップ１５５の呼吸孔１５５ｃは、本発明における「内部通路」に対応する。
【００２６】
フィルターキャップ１５９は、クランクキャップ１５５の開口に上方から嵌入することによって当該クランクキャップ１５５に装着される。フィルターキャップ１５９の嵌入方向の後部側壁面である上壁１５９ｂの略中央部には、フィルター収容空間１５４をギアハウジング１０７の外部に連通する呼吸孔１５９ｃが貫通状に設けられている。フィルターキャップ１５９の呼吸孔１５９ｃは、本発明における「外部通路」に対応する。フィルターキャップ１５９の周壁１５９ａの外周面には、周方向の環状溝１５９ｄが形成され、この環状溝１５９ｄにＯリング１５８が配置されている。Ｏリング１５８は、フィルターキャップ１５９をクランクキャップ１５５内に嵌入する際、弾性変形することでフィルターキャップ１５９とクランクキャップ１５５との嵌合面に関する隙間をシールするとともに、クランクキャップ１５５の周壁１５５ｂの内周面と摩擦接触することでフィルターキャップ１５９を嵌入された状態（位置）に保持する。
【００２７】
フィルター収容空間１５４に収容された交換可能なフィルター１５７は、フェルトによって形成されており、呼吸孔１５５ｃを経てフィルター収容空間１５４へと流入した潤滑剤を吸着して捕捉する。フィルター１５７は、フィルター収容空間１５４の内径と概ね同一の外径を有し、クランクキャップ１５５の開口部に上方から挿入されて底壁１５５ａに当接した状態でフィルター収容空間１５４内の下部領域に収容されている。これによりフィルター収容空間１５４の上部領域、すなわちフィルター１５７の上面とフィルターキャップ１５９の上壁１５９ｂの内面（下面）との間には、空き空間としての上方空間１６１が形成されている。この上方空間１６１は、本発明における「空間」に対応する。
【００２８】
上方空間１６１には、柔軟性を有する円形のゴムシート１６３がフィルター１５７の上面に重なるように配置されている。フィルターキャップ１５９の周壁１５９ａは、ゴムシート１６３が配置される領域及びフィルターキャップ１５９が嵌入される領域の内径が、フィルター１５７が収容される領域の内径よりも大径に形成されている。そして、ゴムシート１６３の外径は、当該ゴムシート１６３の外周を囲む周壁１５５ｂの内径よりも小径に形成されている。これによりクランクキャップ１５５の周壁１５５ｂの内周面とゴムシート１６３の外周面との間には、フィルター１５７と上方空間１６１とを連通するリング状の絞り通路１６５が形成される。すなわち、ゴムシート１６３は、フィルター１５７から上方空間１６１へと流出する空気の流路の断面積を絞る部材として備えられる。絞り通路１６５は、本発明における「絞り流路」に対応し、ゴムシート１６３は、本発明における「絞り部材」、「シート状部材」及び「弾性材」に対応する。
【００２９】
フィルター１５７の上面に配置されたゴムシート１６３は、フィルターキャップ１５９がクランクキャップ１５５の開口に上方から嵌入されたとき、当該フィルターキャップ１５９の周壁１５９ａの下端面によって外径側上面が押圧される。かくして、フィルター１５７及びゴムシート１６３は、クランクキャップ１５５の底壁１５５ａとフィルターキャップ１５９の周壁１５９ａの下端面とにより上下方向から挟持された状態で保持され、無用な動きが抑えられている。なお、ゴムシート１６３の外径側上面を押圧するフィルターキャップ１５９の周壁１５９ａの下端面、又はゴムシート１６３の上面には、フィルター１５７から絞り通路１６５へと流れた空気を上方空間１６１へと導く通路が必要に応じて形成されている。
【００３０】
また、フィルターキャップ１５９の上壁１５９ｂの内面側において、呼吸孔１５９ｃの開口周辺部には、フィルター収容空間１５４内に向って所定長さで突出する円形断面のテーパー状の延長部１５９ｅが形成されている。延長部１５９ｅは、潤滑剤の方向転換領域を構成する。
【００３１】
上記のように、本実施の形態においては、ギアハウジング１０７に圧力調整通路１５１を設け、ギアハウジング１０７の内部空間１０７ａを外部、すなわちギアハウジング１０７と当該ギアハウジング１０７を覆っているアウターカバー１０８間の空間部１０８ａに連通する構成としている（図２及び図３参照）。空間部１０８ａは、本発明における「外部」に対応する。このため、ハンマ１０１によるハンマ作業時において、運動変換機構１１３、及び打撃要素１１５の駆動による発熱に伴い密閉構造の内部空間１０７ａの空気が膨張して内部圧力が上昇した場合、当該内部空間１０７ａ内の空気が圧力調整通路１５１を経てギアハウジング１０７の外部の空間部１０８ａへと流出する。すなわち、ギアハウジング１０７の内部空間１０７ａの圧力逃がしが行われる。これにより、ギアハウジング１０７の内部圧力は、その上昇が抑えられるように調整されることになり、ギアハウジング１０７内の圧力が高圧化することに起因する打撃不良を防止できる。なお、図３には圧力調整のための空気の流れが矢印で示される。
【００３２】
本実施の形態における圧力調整通路１５１は、フィルター収容空間１５４と、当該フィルター収容空間１５４をギアハウジング１０７の内部空間１０７ａに連通する内部側の呼吸孔１５５ｃと、フィルター収容空間１５４をギアハウジング１０７の外部の空間部１０８ａに連通する外部側の呼吸孔１５９ｃとを有している。そしてフィルター収容空間１５４には、当該フィルター収容空間１５４に流入した潤滑剤を吸着するフィルター１５７を収容する構成としている。したがって、上記の圧力逃がし作用に伴いギアハウジング１０７の内部空間１０７ａの潤滑剤が内部側の呼吸孔１５５ｃからフィルター収容空間１５４に流入した場合、これをフィルター１５７により吸着して捕捉することにより、潤滑剤が空間部１０８ａへ漏出することを防止することができる。
【００３３】
本実施の形態によれば、フィルター１５７の上面にゴムシート１６３を重ね、当該ゴムシート１６３の外周と周壁１５５ｂの内周との間にリング状の絞り通路１６５を形成したことにより、フィルター１５７を通って上方空間１６１側へと流出する空気の流れが絞られる。このため、絞り通路１６５の上流側であるフィルター１５７の内部を通る空気の流速が低下し、その結果としてフィルター１５７が潤滑剤を吸着し易くなり、潤滑剤の空間部１０８ａへの流出が抑えられる。
【００３４】
また、ゴムシート１６３は、内部側の呼吸孔１５５ｃからフィルター１５７内へと流入し、外部側の呼吸孔１５９ｃに向って直進しようとする空気の流れを遮る直進妨害部材としても機能する。このため、内部側の呼吸孔１５５ｃからフィルター１５７の中央部へと流れた空気は、中央部から外径方向へと流れた後、ゴムシート１６３の外径側の絞り通路１６５へと流れることとなり、ゴムシート１６３を有しない場合に比べてフィルター１５７内を流れる空気の流通距離を長くできる。このため、フィルター１５７による潤滑剤の捕捉領域（接触領域）が拡がることになり、フィルター１５７の潤滑剤の吸着性能が高められる。
このように、本実施の形態によれば、内部空間１０７ａの内部圧力を調整しつつ潤滑剤の内部空間１０７ａから空間部１０８ａへの漏出防止を効果的に行うことができる。
【００３５】
ところで、ハンマ１０１では、ハンマ作業時に本体部１０３に発生する振動を抑制する手段として、運動変換機構１１３の駆動（ピストン１２７の往復動作）に伴い変動するギアハウジング１０７内の圧力をウェイトの加振力として利用する強制加振式の動吸振器を本体部１０３に搭載する場合がある。強制加振式の動吸振器については、従来公知の技術ゆえ、詳細な説明を省略する。本実施の形態に係る圧力調整通路１５１によれば、上述したように、フィルター１５７の下流側に絞りを設けたことにより、絞りを有しない構成に比べて内部空間１０７ａの密封性が高くなり、内部圧力が必要以上に低下しない。このため、当該内部空間１０７ａの圧力を、動吸振器のウェイト加振力として有効に活用することが可能である。
【００３６】
なお、本実施の形態では、クランクキャップ１５５の周壁１５５ｂにつき、ゴムシート１６３が配置される領域の内径をフィルター１５７が配置される領域の内径よりも大径に形成した上で、ゴムシート１６３の外径を周壁１５５ｂの内径よりも小径に形成することにより、ゴムシート１６３と周壁１５５ｂ間にリング状の絞り通路１６５を設定したが、ゴムシート１６３が配置される領域の内径とフィルター１５７が配置される領域の内径を同一径に形成した上で、ゴムシート１６３の外径をフィルター１５７の外径よりも小径に形成することにより、ゴムシート１６３と周壁１５５ｂ間にリング状の絞り通路１６５を設定してもよい。
また、リング状の絞り通路１６５に変えて、例えばゴムシート１６３に複数の小孔あるいはスリット等の開口を形成することによって絞り通路を構成することも可能である。また、ゴムシート１６３は、樹脂シートあるいは金属シートに変更しても構わない。
【００３７】
次に本発明に係る他の実施形態につき、図５を参照しつつ説明する。この実施形態は、圧力調整通路１５１の構成部材のうちの絞り部材につき、前述した実施形態におけるゴムシート１６３に変えて第２フィルター１６７を利用したものであり、この点以外の構成については、前述した実施の形態と同様である。従って、前述した実施形態と同一の構成部材については同一符号を付してその説明を省略あるいは簡略する。
【００３８】
第２フィルター１６７は、図示のようにフィルター１５７の上方に形成される上方空間１６１内に配置されている。第２フィルター１６７は、フェルトによって形成されており、フィルター１５７から離間した状態で外部側の呼吸孔１５９ｃの開口周縁部に被さるように取付けられ（固定され）ている。なお、フィルター１５７は外径側上面をフィルターキャップ１５９の周壁１５９ａの下端面で押圧されている。
【００３９】
上記のように構成された本実施の形態によれば、ギアハウジング１０７の内部空間１０７ａの空気が膨張して内部圧力が上昇した場合、内部空間１０７ａ内の空気が内部側の呼吸孔１５５ｃからフィルター１５７の内部を経て上方空間１６１へと流出した後、第２フィルター１６７の内部を通り外部側の呼吸孔１５９ｃから空間部１０８ａへと流出する。これにより内部空間１０７ａ内の圧力が調整されて打撃不良等を防止できる。なお、図５には圧力調整のための空気の流れが矢印で示される。
【００４０】
内部空間１０７ａ内の空気が空間部１０８ａに流出することに伴い当該内部空間１０７ａの潤滑剤が空気と共に内部側の呼吸孔１５５ｃからフィルター収容空間１５４へと流入した場合、当該潤滑剤をフィルター１５７により吸着して捕捉することにより、潤滑剤が空間部１０８ａへ漏出することを防止することができる。
【００４１】
本実施の形態では、外部側の呼吸孔１５９ｃの開口に第２フィルター１６７を被せるように配置し、これにより呼吸孔１５９ｃを通って空間部１０８ａへと流出する空気流れを絞る構成としている。その結果としてフィルター１５７の内部を流れる空気の流速が低下することになり、前述した実施形態の場合と同様、フィルター１５７が潤滑剤を吸着し易くなり、潤滑剤の空間部１０８ａへの流出が抑えられる。
【００４２】
また、本実施の形態に係る第２フィルター１６７は、呼吸孔１５９ｃから流出する空気の流れを絞る部材として機能するのみならず、それ自体が呼吸孔１５９ｃから空間部１０８ａへ流出しようとする潤滑剤を捕捉する構成のため、潤滑剤の漏出防止効果をより一層向上できる。また、第２フィルター１６７がフィルター１５７から離間した状態で配置される構成としたことにより、当該フィルター１５７を通過した潤滑剤の流れを一旦遮断させることになり、この点でも漏出防止を図る上で有効とされる。
【００４３】
なお、上述した実施の形態は、駆動モータ１１１の回転出力を直線運動に変換してストライカ１４３を駆動する運動変換機構１１３につき、クランク機構を利用する形式のハンマの場合で説明したが、駆動モータ１１１の回転動作をハンマビット１１９の長軸方向に揺動運動に変換する揺動機構によってピストン１２７を直線状に駆動する形式のハンマに適用しても構わない。また、本実施の形態では、作業工具として電動式のハンマ１０１を例にとって説明しているが、ハンマ１０１に限るものではなく、駆動機構を収容するハウジング内に当該駆動機構を潤滑する潤滑剤が封入されている構成の作業工具であれば、種類の如何を問わず適用可能である。
【符号の説明】
【００４４】
１０１  ハンマ（作業工具）
１０３  本体部
１０５  モータハウジング
１０７  ギアハウジング
１０７ａ  内部空間（収容空間）
１０８  アウターカバー
１０８ａ  空間部（外部）
１０９  ハンドグリップ
１１１  駆動モータ
１１３  運動変換機構（駆動機構）
１１５  打撃要素（駆動機構）
１１９  ハンマビット（先端工具）
１２１  クランク軸
１２３  偏心ピン
１２５  クランクアーム
１２７  ピストン
１３３  操作部材
１４１  シリンダ
１４１ａ  空気室
１４３  ストライカ
１５１  圧力調整通路（経路）
１５３  キャップ部材
１５４  フィルター収容空間（フィルター室）
１５５  クランクキャップ
１５５ａ  底壁
１５５ｂ  周壁
１５５ｃ  呼吸孔（内部通路）
１５５ｄ  外筒部
１５６  Ｏリング
１５７  フィルター
１５８  Ｏリング
１５９  フィルターキャップ
１５９ａ  周壁
１５９ｂ  上壁
１５９ｃ  呼吸孔（外部通路）
１５９ｄ  環状溝
１５９ｅ  延長部
１６１  上方空間（空間）
１６３  ゴムシート（絞り部材）（シート状部材）（弾性材）
１６５  絞り通路（絞り流路）
１６７  第２フィルター（絞り部材）
【図１】
0005560004.tif 000002
【図２】
0005560004.tif 000003
【図３】
0005560004.tif 000004
【図４】
0005560004.tif 000005
【図５】
0005560004.tif 000006